(57)【要約】      （修正有）【課題】デスクトップパソコンの体積を縮小すると同時に、主要部分組立部品をフレームに設置することで構造の安定性を強化したオールインワン・デスクトップパソコンを提供する。【解決手段】オールインワン・デスクトップパソコン２は、表示モジュール３、フレーム４、主要部分組立部品５及び後部カバー６を備える。フレーム４は、表示モジュール３の一側に設置される。主要部分組立部品５はフレーム４に設置される。後部カバー６とフレーム４は、表示モジュール３の同側に設置されて、後部カバー６はフレーム４と主要部分組立部品５を覆う。したがって、オールインワン・デスクトップパソコン２は、主要部分組立部品５がフレーム４に設置されることにより、主要部分組立部品５の設置位置を固定すると同時に、デスクトップパソコン構造の安定性を強化する。【選択図】図３
0003166880.tif 000002
【実用新案登録請求の範囲】
【請求項１】
表示モジュールと、
前記表示モジュールの一側に設置されるフレームと、
前記フレームに設置される主要部分組立部品と、
前記表示モジュールの同一の側に前記フレームと共に設置されて、前記フレームと前記主要部分組立部品を覆う後部カバーとを、
備えることを特徴とする、オールインワン・デスクトップパソコン。
【請求項２】
さらに、前記表示モジュールの他側に設置されて、前記後部カバーに組み合わされる前部カバーを備えることを特徴とする、請求項１に記載のオールインワン・デスクトップパソコン。
【請求項３】
前記表示モジュールは、前記前部カバーの外に露出することを特徴とする、請求項２に記載のオールインワン・デスクトップパソコン。
【請求項４】
前記フレームの材質は、金属であることを特徴とする、請求項１に記載のオールインワン・デスクトップパソコン。
【請求項５】
前記主要部分組立部品は、メインボード、ハードディスクドライブ、ＣＤドライブ及び少なくとも１個の放熱素子を有することを特徴とする、請求項１に記載のオールインワン・デスクトップパソコン。
【請求項６】
前記フレームは、複数の可動部を有し、
前記可動部は、それぞれ、前記ハードディスクドライブ及び前記ＣＤドライブに対応してその設置のために供されることを特徴とする、請求項５に記載のオールインワン・デスクトップパソコン。
【請求項７】
前記フレームは、収納部を有し、
前記収納部は、前記メインボード、前記ハードディスクドライブ、前記ＣＤドライブ及び前記放熱素子を収納することを特徴とする、請求項５に記載のオールインワン・デスクトップパソコン。
【請求項８】
前記放熱素子は、放熱ファン、放熱シート、放熱板、放熱フィン、導熱管、またはそれらの組合せを有することを特徴とする、請求項５に記載のオールインワン・デスクトップパソコン。
【請求項９】
前記主要部分組立部品は、ＣＰＵ、チップセット、ＵＳＢ（Universal Serial Bus）、カードリーダー、オーディオ端子、入力インタフェース接続ポートもしくはインターネット接続ポート、またはそれらの組合せを有することを特徴とする、請求項１に記載のオールインワン・デスクトップパソコン。
【請求項１０】
さらに、前記後部カバーに連結されるスタンドを備えることを特徴とする、請求項１に記載のオールインワン・デスクトップパソコン。
【考案の詳細な説明】
【技術分野】
【０００１】
本考案は、デスクトップパソコンに関し、特に、オールインワン（all-in-one）・デスクトップパソコンに関する。
【背景技術】
【０００２】
現在、電子テクノロジーは、驚くべきスピードで発展、成長を遂げており、日常生活における物、環境もますます電子化が進み、我々の生活に利便性と住みやすさをもたらしている。例えば、電子製品やコンピューターを使用して、文書処理作業や情報の収集等に使用される外、インターネットを通して連絡したり、オンラインでショッピングしたりする場合にも利用される。電子製品及びコンピューターは、今や、個人や会社、企業にとって不可欠なものとなっている。
【０００３】
図１は、従来のデスクトップパソコンを示した図である。デスクトップパソコン１は、ディスプレイ１１及び本体１２を有する。本体１２は、例えば、メインボード、ＣＰＵ（Central Processing Unit, CPU）、ハードディスクドライブ、放熱装置（以上は図示はされない）及びＣＤドライブ１２１等のパーツを有し、前記パーツは、ハウジング１２２内に設置される。本体１２はさらに、導線によってディスプレイ１１に接続される。
【０００４】
しかしながら、従来のデスクトップパソコン１のディスプレイ１１と本体１２とは、互いに独立した異なるパーツであるため、デスクトップパソコン１の体積が大きく、それを設置するための空間が必要となり、使用上、設置上の困難を生じる。
【考案の概要】
【考案が解決しようとする課題】
【０００５】
したがって、本考案は、デスクトップパソコンの体積を縮小すると同時に、主要部分組立部品をフレームに設置することによって、構造の安定性を強化したオールインワン・デスクトップパソコンを提供することを課題とする。
【０００６】
上記課題を解決するために、本考案は、デスクトップパソコンの体積を縮小すると同時に、主要部分組立部品をフレームに設置することによって、構造の安定性を強化したオールインワン・デスクトップパソコンを提供することを目的とする。
【課題を解決するための手段】
【０００７】
上記目的を達成するため、本考案のオールインワン・デスクトップパソコンは、表示モジュール、フレーム、主要部分組立部品及び後部カバーを備える。
フレームは、表示モジュールの一側に設置される。主要部分組立部品はフレームに設置される。後部カバーとフレームとは、表示モジュールの同一の側に設置されて、後部カバーは、フレームと主要部分組立部品を覆う。
【０００８】
本考案の実施例において、オールインワン・デスクトップパソコンは、さらに、表示モジュールの他側に設置されて、後部カバーと組み合わされる前部カバーを備える。
【０００９】
本考案の実施例において、主要部分組立部品は、メインボード、ハードディスクドライブ、ＣＤドライブ、少なくとも１個の放熱素子を有する。
さらに、フレームは、複数の可動部を有し、前記可動部は、それぞれハードディスクドライブ及びＣＤドライブに対応してその設置のために供される。
また、フレームは、収納部を有し、収納部にはメインボード、ハードディスクドライブ、ＣＤドライブ及び放熱素子が収納される。
【００１０】
本考案の実施例において、オールインワン・デスクトップパソコンは、さらに、後部カバーに連結するスタンドを有する。
【００１１】
このように、本考案のオールインワン・デスクトップパソコンは、デスクトップパソコンの体積を縮小すると同時に、主要部分組立部品をフレームに設置することによって構造の安定性を高める。さらに、フレームが主要部分組立部品に対する外界からの電磁妨害（Electromagnetic Interference, EMI）を効果的に回避するため、主要部分組立部品の異なる電子素子に金属パーツを追加してEMIを防止する必要がない。したがって、部品の数を減らしてコストの削減を図られると同時に、組立ての際の効率を高められる。
【００１２】
さらに、フレームは、複数の可動部及び収納部が設置される。
収納部によって、主要部分組立部品の異なる電子素子の設置位置が固定されると同時に、揺れや衝撃によって主要部分組立部品をフレームに設置する際の相対位置に影響を与えられることがない。
さらに、前記可動部があることにより、主要部分組立部品の異なる電子素子の着脱や交換が便利に行える。また、主要部分組立部品とフレームの位置が固定されていることにより、表示モジュールを主要部分組立部品及びフレーム上に設置、固定し、その後、前部カバーと後部カバーを結合させて、表示モジュール、フレーム及び主要部分組立部品をその中に覆うように設置するのみによって、オールインワン・デスクトップパソコンの組立てが完了する。したがって、オールインワン・デスクトップパソコンの組立てに要する時間は大幅に短縮されて、組立て作業の効率を高められる。
【考案の効果】
【００１３】
本考案のオールインワン・デスクトップパソコンは、デスクトップパソコンの体積を縮小すると同時に、主要部分組立部品をフレームに設置することにより構造の安定性を高められる。さらに、フレームは、主要部分組立部品に対する外界からの電磁妨害（Electromagnetic Interference, EMI）を効果的に回避するため、主要部分組立部品の異なる電子素子に金属パーツを追加してEMIを防止する必要はない。したがって、部品の数を減らしてコストの削減を図られると同時に、組立ての際の効率を高められる。
【００１４】
この考案の上述の目的，その他の目的，特徴及び利点は、図面を参照して行う以下の考案を実施するための最良の形態の詳細な説明から一層明らかとなろう。
【図面の簡単な説明】
【００１５】
【図１】従来のデスクトップパソコンを示した図である。
【図２】本考案の好適な実施例におけるオールインワン・デスクトップパソコンを示した図である。
【図３】本考案の好適な実施例におけるオールインワン・デスクトップパソコンの分解図である。
【図４】本考案の好適な実施例における主要部分組立部品及びフレームを示した図である。
【図５】本考案の好適な実施例におけるオールインワン・デスクトップパソコンの背面図である。
【考案を実施するための形態】
【００１６】
以下、参照しながら、本考案の好適な実施例におけるオールインワン・デスクトップパソコンについて説明する。
同時に、図２及び図３を参照しながら、本考案の好適な実施例におけるオールインワン・デスクトップパソコンについて説明する。図２は、本考案の好適な実施例におけるオールインワン・デスクトップパソコンを示した図である。図３は、本考案の好適な実施例におけるオールインワン・デスクトップパソコンの分解図である。
実際の構造では、その必要性から、オールインワン・デスクトップパソコンは、フレームを有するが、図３においてはフレームは図示されない。
本実施例におけるオールインワン・デスクトップパソコン２は、表示モジュール３、フレーム４、主要部分組立部品５及び後部カバー６を備える。
【００１７】
表示モジュール３は、例えば、液晶表示（Liquid Crystal Display, LCD）モジュール、発光ダイオード（Light-Emitting Diode, LED）表示モジュール、有機発光ダイオード表示（Organic Light-Emitting Display, OLED）モジュール、電界放出表示（Field Emission Display, FED）モジュールまたはプラズマ表示（Plasma Display Panel, PDP）モジュールである。
表示モジュール３は、液晶表示モジュールによる場合は、表示パネル３１及びバックライト（図示されない）を有し、バックライトユニットは、表示パネル３１に隣接する。
バックライトユニットは、例えば、パネル及び光源を有し、光源は、パネルに設置される。
【００１８】
フレーム４は、表示モジュール３の一側に設置される。本実施例において、フレーム４の形状は、例えば、ケース状で収納部４２を有するが、これに限られるものではなく、フレーム４は、平板状やその他の形状も可能である。
また、フレーム４の材質は、例えば、金属である。
【００１９】
同時に、図３及び図４を参照しながら説明する。このうち、図４は、本考案の好適な実施例における主要部分組立部品及びフレームを示した図である。
主要部分組立部品５は、フレーム４に設置されて、さらに、主要部分組立部品５は、フレーム４及び表示モジュール３の間に設置される。すなわち、フレーム４及び表示モジュール３は、主要部分組立部品５の両側に設置されるということである。
本実施例における主要部分組立部品５は、例えば、メインボード５１、ハードディスクドライブ５２、ＣＤドライブ５３及び少なくとも１個の放熱素子５４である。
このうち、メインボード５１は、例えば、ＣＰＵ、チップセット、ＵＳＢ（Universal Serial Bus）、カードリーダー、オーディオ端子、入力インタフェース接続ポートもしくはインターネット接続ポート、またはそれらの組合せを有する。
ハードディスクドライブ５２は、例えば、ＨＤＤ（Hard Disk Drive）またはＳＳＤ（Solid State Drive）である。また、ハードディスクドライブ５２は、使用する規格によって異なり、例えば、１．８インチ、２．５インチまたは３．５インチ等の異なるサイズのハードディスクドライブ５２が採用される。
ＣＤドライブ５３は、例えば、CD-ROM ODD（CD-ROM Optical Disk Drive）、CD-Rドライブ、CD-RWドライブ、DVD-ROMドライブ、DVD-Rドライブまたはブルーレイ（Blue-ray Disk, BD）ドライブ等である。
放熱素子５４は、例えば、放熱ファン、放熱シート、放熱板、放熱フィン、導熱管、またはそれらの組合せを有する。
【００２０】
本実施例において、メインボード５１、ハードディスクドライブ５２、ＣＤドライブ５３及び放熱素子５４は、フレーム４の収納部４２に収納されるため、揺れや衝撃によって主要部分組立部品５の電子素子をフレーム４に設置する際の相対位置に影響することを回避させる。
【００２１】
また、本実施例において、フレーム４は、さらに、複数の可動部４１を有するが、これに限られるものではない。前記可動部４１は、それぞれ主要部分組立部品５の一部の電子素子（例えば、ハードディスクドライブ５２またはＣＤドライブ５３）の設置の際に対応して用いられる。可動部４１は、例えば、開口式またはスライド式である。本実施例においては、可動部４１は開口式の形状であり、可動部４１に設置される電子素子の形状に対応する。そのために、前記電子素子の着脱や交換は、前記可動部４１への設置に際して便利に行える。
【００２２】
後部カバー６の材質は、例えば、プラスチックや金属であり、後部カバー６は、フレーム４の、主要部分組立部品５とは逆の他側に設置される。すなわち、後部カバー６とフレーム４とは、表示モジュール３の同一の側に設置され、後部カバー６は、フレーム４と主要部分組立部品５を覆うように設置されて、フレーム４と主要部分組立部品５の相対位置を固定するということである。
【００２３】
また、図２及び図３を参照しながら説明する。本実施例におけるオールインワン・デスクトップパソコン２は、さらに、前部カバー７及びスタンド８を備える。
【００２４】
前部カバー７は、表示モジュール３の、主要部分組立部品５とは逆の他側に設置されて、後部カバー６と共に、表示モジュール３、フレーム４及び主要部分組立部品５を覆う。また、本実施例における表示モジュール３の表示パネル３１は、前部カバー７の外に露出する。
本実施例における前部カバー７及び後部カバー６は、同じ材質を有し、その材質は、例えば、プラスチックまたは金属である。
【００２５】
スタンド８は、例えば、ベース型であるが、これに限られるものではない。スタンド８が、後部カバー６に連結されて、オールインワン・デスクトップパソコン２を載せて支えることで、オールインワン・デスクトップパソコン２は、平面（例えば、デスク）上に放置することが可能である。
【００２６】
また、本実施例におけるオールインワン・デスクトップパソコン２は、さらに、複数の固定素子（図示はされない。例えば、ねじ等）によって、フレーム４、後部カバー６及び前部カバー７の周囲に形成された複数の貫通穴に固定設置されて、フレーム４と表示モジュール３の相対位置が固定される。
そして、前部カバー７及び後部カバー６によって、表示モジュール３、フレーム４及び主要部分組立部品５は、それらの中に覆われる形式で設置される。したがって、デスクトップパソコン２の体積を縮小すると同時に、オールインワン・デスクトップパソコン２の構造の安定性を強化される。
【００２７】
したがって、本実施例におけるオールインワン・デスクトップパソコン２は、主要部分組立部品５がフレーム４に設置されて、主要部分組立部品５の電子素子の設置位置を固定すること、さらに、表示モジュール３が主要部分組立部品５及びフレーム４上に設置されることにより、オールインワン・デスクトップパソコン２の組立てのスピードが速くなる。さらに、フレーム４が主要部分組立部品５が外界の電磁妨害を受けるのを回避させるために、主要部分組立部品５の異なる電子素子に金属パーツを追加してＥＭＩを回避する必要はない。したがって、部品の数を減らしてコスト削減を図ることが可能である。
【００２８】
図５を参照しながら説明する。図５は、本考案の好適な実施例におけるオールインワン・デスクトップパソコンの背面図である。
本実施例におけるスタンド８ａは、例えば、柱状または板状であるが、これに限られるものではない。
スタンド８ａは、後部カバー６に設置されて、オールインワン・デスクトップパソコン２ａを支えることで、オールインワン・デスクトップパソコン２ａの応用範囲を広げる。例えば、スタンド８ａがオールインワン・デスクトップパソコン２ａの重量を受けることで、平坦でない表面に、オールインワン・デスクトップパソコン２ａを設置することができる。
【００２９】
このように、本考案のオールインワン・デスクトップパソコンは、デスクトップパソコンの体積を縮小すると同時に、主要部分組立部品をフレームに設置することで、オールインワン・デスクトップパソコンの構造の安定性を高める。また、フレームが効果的に主要部分組立部品が外界から電磁妨害を受けるのを回避することで、主要部分組立部品の異なる電子素子に金属素子を設置してEMIを回避する必要がないために、部品の数を減らしてコスト削減を図ることが可能であると同時に、組立ての際の効率を高められる。
【００３０】
さらに、フレームに複数の可動部及び収納部を設置されることにより、収納部は、主要部分組立部品の異なる電子素子の設置位置を固定する。さらに、主要部分組立部品がフレームに設置される際の相対位置に揺れや衝撃による影響を与えるのを回避して、前記可動部があることにより、主要部分組立部品の異なる電子素子の着脱や交換が便利に行なえる。また、主要部分組立部品とフレームの位置がすでに固定されていることにより、表示モジュールを主要部分組立部品及びフレーム上に固定し、前部カバーと後部カバーを結合させて、表示モジュール、フレーム及び主要部分組立部品をそれらの中に覆うのみによって、組み立てが完了する。そのために、オールインワン・デスクトップパソコンを組立てるのに要する時間が大幅に節約されて、組立てての際の効率が高まる。
【００３１】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００３２】
〔従来〕
１  デスクトップパソコン
１１  ディスプレイ
１２  本体
１２１  ＣＤドライブ
１２２  ハウジング
〔本考案〕
２，２ａ  オールインワン・デスクトップパソコン
３  表示モジュール
３１  表示パネル
４  フレーム
４１  可動部
４２  収納部
５  主要部分組立部品
５１  メインボード
５２  ハードディスクドライブ
５３  ＣＤドライブ
５４  放熱素子
６  後部カバー
７  前部カバー
８，８ａ  スタンド
【図１】
0003166880.tif 000003
【図２】
0003166880.tif 000004
【図３】
0003166880.tif 000005
【図４】
0003166880.tif 000006
【図５】
0003166880.tif 000007